(57)【要約】【課題】塗布前に計量分を視認できると共に、容器体内容物の漏洩を確実に防止し得る定量塗布容器を提供する。【解決手段】  容器体口頸部へ装着筒２０を装着させると共に、前記容器体内に設けたポンプ機構から上方付勢状態で起立するステム１０へ連結筒３０を介してノズル筒付き計量筒４０を回動自在に装着させ、連結筒３０外面にポンプ作動規制用突条３４を縦設すると共に、前記装着筒２０の内面に前記ポンプ作動規制用突条３４の下降を許容する縦溝２５と、前記ポンプ作動規制用突条の周方向のみへの移動を所定距離だけ許容する凹部２６とを設け、ノズル筒４２外面へ上下動自在に嵌合させたシール筒５１を頂壁から垂下する内キャップ５０を歯車機構６０を介して前記連結筒３０へ連結させ、さらに前記内キャップ５０を覆う外キャップ７０を内キャップへ凹凸の係合手段を介して係合させると共に、前記外キャップ下部を前記装着筒へ螺合させたことを特徴とする。【選択図】  図１
2011157104.tif 000002
【特許請求の範囲】
【請求項１】
容器体口頸部へ装着筒２０を装着させると共に、前記容器体内に設けたポンプ機構から上方付勢状態で起立するステム１０へ連結筒３０を介してノズル筒付き計量筒４０を回動自在に装着させ、
前記連結筒３０外面にポンプ作動規制用突条３４を縦設すると共に、前記装着筒２０の内面に前記ポンプ作動規制用突条３４の下降を許容する縦溝２５と、前記ポンプ作動規制用突条の周方向のみへの移動を所定距離だけ許容する凹部２６とを設け、
前記ノズル筒４２外面へ上下動自在に嵌合させたシール筒５１を頂壁から垂下する内キャップ５０を歯車機構６０を介して前記連結筒３０へ連結させ、
さらに前記内キャップ５０を覆う外キャップ７０を内キャップへ凹凸の係合手段を介して係合させると共に、前記外キャップ下部を前記装着筒へ螺合させたことを特徴とする定量塗布容器。
【請求項２】
前記ノズル筒付き計量筒４０の押下げで、前記ポンプ作動規制用突条３４が前記縦溝２５を下降して前記ステム１０が下降することによりポンプ作動で前記ノズル筒付き計量筒内へ容器体内容物が流入可能に設け、
前記外キャップ７０の前記装着筒２０への螺合時に、前記歯車機構６０を介して前記連結筒３０が回動することで前記ポンプ作動規制用突条３４下端が前記装着筒の凹部２６上面へ摺動自在に係合して前記ノズル筒付き計量筒４０の下降を阻止可能に設け、
さらに前記ポンプ作動規制用突条３４が所定距離だけ周方向へ移動して前記凹部２６側面へ当接した後、前記外キャップ７０のさらなる螺動で前記歯車機構６０が噛合い解除可能に設け、
前記外キャップの前記装着筒からの螺脱時に、前記ポンプ作動規制用突条３４が前記と反対方向へ移動して前記装着筒の縦溝２５上端へ位置することが可能に設けた
ことを特徴とする請求項１記載の定量塗布容器。
【請求項３】
前記連結筒３０は、前記ステム１０へ回動自在に嵌合させた内筒と、該内筒上端に設けた外向きフランジ３２から垂下する外筒３３とを備え、該外筒外面に前記ポンプ作動規制用突条３４を縦設したことを特徴とする請求項１又は２記載の定量塗布容器。
【請求項４】
前記内キャップ５０は、頂壁中央部から前記シール筒５１を垂下すると共に、頂壁周縁から垂下する周壁下端から上向き段部５２ａを介して垂下筒５２を垂下することを特徴とする請求項１から３のいずれか１項記載の定量塗布容器。
【請求項５】
前記歯車機構６０は、前記連結筒の外向きフランジ３２外周面に設けた歯６１と、前記内キャップの垂下筒５２の開口部下端内縁から起立して前記連結筒の外向きフランジ外周面の歯６１係合する係合歯付き弾性片６２とからなることを特徴とする請求項３又は４記載の定量塗布容器。
【請求項６】
容器体口頸部へ装着筒を装着させると共に、前記容器体内に設けたポンプ機構から上方付勢状態で起立するステムへ連結筒を介してノズル筒付き計量筒４０を回動自在に装着させ、
前記連結筒外面にポンプ作動規制用突条３４を縦設すると共に、前記装着筒の内面に前記ポンプ作動規制用突条３４の下降を許容する縦溝２５と、前記ポンプ作動規制用突条の周方向のみへの移動を所定距離だけ許容する凹部２６とを設け、
前記ノズル筒４２外面へ上下動自在に嵌合させたシール筒５１を頂壁から垂下する内キャップを凹凸の係合手段１００を介して前記連結筒へ係合させて内キャップと供回り可能に設け、
さらに前記内キャップを覆う外キャップを歯車機構９０を介して内キャップへ係合させると共に、前記外キャップ下部を前記装着筒へ螺合させたことを特徴とする定量塗布容器。
【請求項７】
前記ノズル筒付き計量筒の押下げで、前記ポンプ作動規制用突条が前記縦溝を下降して前記ステムが下降することによりポンプ作動で前記ノズル筒付き計量筒内へ容器体内容物が流入可能に設け、
前記外キャップの前記装着筒への螺合時に、前記歯車機構９０を介して前記内キャップが回動することで連結筒が回動することにより前記ポンプ作動規制用突条３４下端が前記装着筒の凹部２６上面へ摺動自在に係合して前記ノズル筒付き計量筒の下降を阻止可能に設け、
さらに前記ポンプ作動規制用突条が所定距離だけ周方向移動して前記凹部側面へ当接した後、前記外キャップのさらなる螺動で前記歯車機構が噛合い解除可能に設け、
前記外キャップの前記装着筒からの螺脱時に、前記ポンプ作動規制用突条が前記と反対方向へ移動して前記装着筒の縦溝上端へ位置することが可能に設けたことを特徴とする請求項６記載の定量塗布容器。
【請求項８】
前記歯車機構は、前記内キャップ外周面に設けた歯９１と、前記外キャップ頂壁から垂下して前記内キャップ外面へ嵌合する嵌合筒の開口部上端から垂下して前記内キャップ外周面の歯へ係合する係合歯付き弾性片９４とからなることを特徴とする請求項６又は７記載の定量塗布容器。
【請求項９】
前記ノズル筒付き計量筒は頂壁からノズル筒を起立すると共に、周壁下部を前記連結筒の外向きフランジに形成した環状溝部へ嵌合させ、かつ容器体を倒立させて上下方向へ振動させることでノズル筒付き計量筒内の内容物をノズル筒から注出可能に設けたことを特徴とする請求項１から８のいずれか１項記載の定量塗布容器。
【請求項１０】
前記ノズル筒付き計量筒は頂壁からノズル筒を起立すると共に、周壁下部を前記連結筒の外向きフランジに形成した環状溝部へ嵌合させ、さらに前記ノズル筒内へ注出弁を上方へ付勢させて嵌合させると共に、該注出弁の周面に連通路を設け、該注出弁の押下げで連通路がノズル筒付き計量筒内へ連通可能に設けたことを特徴とする請求項１から８のいずれか１項記載の定量塗布容器。
【請求項１１】
前記ノズル筒付き計量筒内面を粗面に形成して、前記注出弁の閉弁時における内容物吸入時にノズル筒付き計量筒内の空気が漏洩可能に設けたことを特徴とする請求項１０記載の定量塗布容器。
【請求項１２】
前記ポンプ作動規制用突条の側面へ係合して前記凹部側面への当接状態を保持可能な突起を前記装着筒の内面に設けたことを特徴とする請求項１から１１のいずれか１項記載の定量塗布容器。
【請求項１３】
前記ノズル筒付き計量筒は透明又は半透明の材質からなることを特徴とする請求項１から１２のいずれか１項記載の定量塗布容器。
【発明の詳細な説明】
【技術分野】
【０００１】
本発明は、定量塗布容器に関する。
【背景技術】
【０００２】
塗布する際に容器体を倒立させ、容器体先端の弁体を頭部等に押し当てて上下動させることで適量が塗布可能な塗布容器が従来技術として知られている。
【先行技術文献】
【特許文献】
【０００３】
【特許文献１】特開２００５−２１２８５２号公報
【発明の概要】
【発明が解決しようとする課題】
【０００４】
しかしながら、従来技術では塗布前の容器体の正立状態では計量分を視覚で確認できないという課題があった。
【０００５】
本発明は、上記課題を解決するためになされたもので、塗布前に計量分を視認できると共に、容器体内容物の漏洩を確実に防止し得る定量塗布容器を提供することを目的とする。
【課題を解決するための手段】
【０００６】
上記課題を解決するために、本発明は、容器体口頸部へ装着筒を装着させると共に、前記容器体内に設けたポンプ機構から上方付勢状態で起立するステムへ連結筒を介してノズル筒付き計量筒を回動自在に装着させ、
前記連結筒外面にポンプ作動規制用突条を縦設すると共に、前記装着筒の内面に前記ポンプ作動規制用突条の下降を許容する縦溝と、前記ポンプ作動規制用突条の周方向のみへの移動を所定距離だけ許容する凹部とを設け、
前記ノズル筒外面へ上下動自在に嵌合させたシール筒を頂壁から垂下する内キャップを歯車機構を介して前記連結筒へ連結させ、
さらに前記内キャップを覆う外キャップを内キャップへ凹凸の係合手段を介して係合させると共に、前記外キャップ下部を前記装着筒へ螺合させたことを特徴とする。
【０００７】
また、本発明は、前記ノズル筒付き計量筒の押下げで、前記ポンプ作動規制用突条が前記縦溝を下降して前記ステムが下降することによりポンプ作動で前記ノズル筒付き計量筒内へ容器体内容物が流入可能に設け、
前記外キャップの前記装着筒への螺合時に、前記歯車機構を介して前記連結筒が回動することで前記ポンプ作動規制用突条下端が前記装着筒の凹部上面へ摺動自在に係合して前記ノズル筒付き計量筒の下降を阻止可能に設け、
さらに前記ポンプ作動規制用突条が所定距離だけ周方向へ移動して前記凹部側面へ当接した後、前記外キャップのさらなる螺動で前記歯車機構が噛合い解除可能に設け、
前記外キャップの前記装着筒からの螺脱時に、前記ポンプ作動規制用突条が前記と反対方向へ移動して前記装着筒の縦溝上端へ位置することが可能に設けたことを特徴とする。
【０００８】
さらに、本発明は、前記連結筒は、前記ステムへ回動自在に嵌合させた内筒と、該内筒上端に設けた外向きフランジから垂下する外筒とを備え、該外筒外面に前記ポンプ作動規制用突条を縦設したことを特徴とする。
【０００９】
さらに、本発明は、前記内キャップは、頂壁中央部から前記シール筒を垂下すると共に、頂壁周縁から垂下する周壁下端から上向き段部を介して垂下筒を垂下することを特徴とする。
【００１０】
さらに、本発明は、前記歯車機構は、前記連結筒の外向きフランジ外周面に設けた歯と、前記内キャップの垂下筒の開口部下端内縁から起立して前記連結筒の外向きフランジ外周面の歯へ係合する係合歯付き弾性片とからなることを特徴とする。
【００１１】
さらに、本発明は、容器体口頸部へ装着筒を装着させると共に、前記容器体内に設けたポンプ機構から上方付勢状態で起立するステムへ連結筒を介してノズル筒付き計量筒を回動自在に装着させ、
前記連結筒外面にポンプ作動規制用突条を縦設すると共に、前記装着筒の内面に前記ポンプ作動規制用突条の下降を許容する縦溝と、前記ポンプ作動規制用突条の周方向のみへの移動を所定距離だけ許容する凹部とを設け、
前記ノズル筒外面へ上下動自在に嵌合させたシール筒を頂壁から垂下する内キャップを凹凸の係合手段を介して前記連結筒へ係合させて内キャップと供回り可能に設け、
さらに前記内キャップを覆う外キャップを歯車機構を介して内キャップへ係合させると共に、前記外キャップ下部を前記装着筒へ螺合させたことを特徴とする。
【００１２】
さらに、本発明は、前記ノズル筒付き計量筒の押下げで、前記ポンプ作動規制用突条が前記縦溝を下降して前記ステムが下降することによりポンプ作動で前記ノズル筒付き計量筒内へ容器体内容物が流入可能に設け、
前記外キャップの前記装着筒への螺合時に、前記歯車機構を介して前記内キャップが回動することで連結筒が回動することにより前記ポンプ作動規制用突条下端が前記装着筒の凹部上面へ摺動自在に係合して前記ノズル筒付き計量筒の下降を阻止可能に設け、
さらに前記ポンプ作動規制用突条が所定距離だけ周方向移動して前記凹部側面へ当接した後、前記外キャップのさらなる螺動で前記歯車機構が噛合い解除可能に設け、
前記外キャップの前記装着筒からの螺脱時に、前記ポンプ作動規制用突条が前記と反対方向へ移動して前記装着筒の縦溝上端へ位置することが可能に設けたことを特徴とする。
【００１３】
さらに、本発明は、前記歯車機構は、前記内キャップ外周面に設けた歯と、前記外キャップ頂壁から垂下して前記内キャップ外面へ嵌合する嵌合筒の開口部上端から垂下して前記内キャップ外周面の歯へ係合する係合歯付き弾性片とからなることを特徴とする。
【００１４】
さらに、本発明は、前記ノズル筒付き計量筒は頂壁からノズル筒を起立すると共に、周壁下部を前記連結筒の外向きフランジに形成した環状溝部へ嵌合させ、かつ容器体を倒立させて上下方向へ振動させることでノズル筒付き計量筒内の内容物をノズル筒から注出可能に設けたことを特徴とする。
【００１５】
さらに、本発明は、前記ノズル筒付き計量筒は頂壁からノズル筒を起立すると共に、周壁下部を前記連結筒の外向きフランジに形成した環状溝部へ嵌合させ、さらに前記ノズル筒内へ注出弁を上方へ付勢させて嵌合させると共に、該注出弁の周面に連通路を設け、該注出弁の押下げで連通路がノズル筒付き計量筒内へ連通可能に設けたことを特徴とする。
【００１６】
さらに、本発明は、前記ノズル筒付き計量筒内面を粗面に形成して、前記注出弁の閉弁時における内容物吸入時にノズル筒付き計量筒内の空気が漏洩可能に設けたことを特徴とする。
【００１７】
さらに、本発明は、前記ポンプ作動規制用突条の側面へ係合して前記凹部側面への当接状態を保持可能な突起を前記装着筒の内面に設けたことを特徴とする。
【００１８】
さらに、本発明は、前記ノズル筒付き計量筒は透明又は半透明の材質からなることを特徴とする。
【発明の効果】
【００１９】
本発明は、ポンプ作動でノズル筒付き計量筒内へ容器体内容物が流入可能に設けたので、塗布前の容器体正立状態で計量分を視認することができる。
【００２０】
また、本発明は、外キャップの装着筒への螺合時に、ポンプ作動規制用突条の下降を阻止可能に設けたので、内キャップのシール筒がノズル筒へ密嵌合する際にステムの下降が防止されるため、ポンプ作動により容器体内容物がノズル筒付き計量筒内へ流入することがなく、このため容器体内容物が漏洩することがない。
【００２１】
さらに、本発明は、歯車機構は係合歯付き弾性片を構成要素とするため、歯車機構を空転させることが可能であり、したがって、外キャップのねじ込み完了を容易に認識できる。
【図面の簡単な説明】
【００２２】
【図１】本発明に係る定量塗布容器の第１実施形態の半断面図である。
【図２】内外キャップ離脱状態における図１の平面図である。
【図３】図１のＡ−Ａ線に沿う断面図である。
【図４】図１のＢ−Ｂ線に沿う断面図である。
【図５】突起２７の拡大図である。
【図６】要部の分解斜視図である。
【図７】計量分の視覚による確認状態を示す図１相当図である。
【図８】作用説明図である。
【図９】第２実施形態を示す図１相当図である。
【図１０】内外キャップ離脱状態における図９の平面図である。
【図１１】図１のＡ−Ａ線に沿う断面図である。
【図１２】図１のＢ−Ｂ線に沿う断面図である。
【発明を実施するための形態】
【００２３】
以下に本発明の実施の形態について、図面を参照しながら詳細に説明する。
【００２４】
１は容器体で、周壁２上端から肩部を介して口頸部３を起立する。
【００２５】
１０はステムで、後述するポンプ機構の弁部材から起立する。
【００２６】
２０は装着筒で、容器体口頸部へ螺合させた基筒２１上端から内外二重周壁２２、２３を起立すると共に、外周壁２３上端からフランジを介して覆筒２４を垂下して、該覆筒上部外面に雄ネジを形成し、さらに外周壁２３内面に後述するポンプ作動規制用突条３４の下降を許容する一対の縦溝２５と、ポンプ作動規制用突条３４の周方向への移動を所定距離だけ許容する一対の凹部２６とをそれぞれ軸対称に形成すると共に、ポンプ作動規制用突条の側面へ係合して該ポンプ作動規制用突条３４の凹部２６側面への当接状態を保持可能な突起２７を設ける。すなわち、外周壁２３内面が装着筒２０内面を構成する。
【００２７】
３０は連結筒で、ステム１０へ回動自在に嵌合させた内筒３１と、該内筒上端に設けた外向きフランジ３２の外周部から垂下する外筒３３とを備え、該外筒外面に前記ポンプ作動規制用突条３４を縦設すると共に、外向きフランジ３２の中央部に環状溝部３５を形成する。
【００２８】
４０はノズル筒付き計量筒で、頂壁４１からノズル筒４２を起立すると共に、周壁下部を連結筒３０の環状溝部３５へ嵌合させ、さらにノズル筒４２内へ注出弁４３を上方へ付勢させて嵌合させると共に、該注出弁の周面に連通路４４を設け、該注出弁４３の押下げで連通路４４がノズル筒付き計量筒内へ連通可能になっている。ノズル筒付き計量筒４０の材質としては内部が視認可能な透明または半透明の材料を使用する。
【００２９】
すなわち、注出弁４３は棒状体の下部を大径部に形成して、該大径部の周面を下方大径のテーパ部に形成すると共に、棒状体の上部に連通路４４を縦設したもので、閉弁時に、テーパ部がノズル筒４２の下部内面へ密着可能に形成する。その際、ノズル筒４２の下部内面を粗面に形成して、注出弁の閉弁時における内容物吸入時にノズル筒付き計量筒内の空気が漏洩可能に設ける。また、注出弁４３の上方への付勢は連結筒３０の内筒３１内面へ嵌合させた取付筒４５上端と注出弁４３下面との間に設けたばね部材４６で行う。
【００３０】
５０は内キャップで、頂壁中央部からシール筒５１を垂下して、該シール筒をノズル筒４２外面へ上下動自在に嵌合させると共に、頂壁周縁から垂下する周壁下端から上向き段部５２ａを介して垂下筒５２を垂下する。
【００３１】
６０は歯車機構で、連結筒３０の外向きフランジ３２外周面に設けた歯６１と、内キャップ５０の垂下筒５２の開口部５３下端内縁から起立する弾性片６２とからなり、該弾性片の内面に歯６１と噛合する係合歯６３を備えている。開口部５３は上向き段部５２ａの外周部から垂下筒５２下端にかけて形成するものとする。
【００３２】
７０は内キャップ５０を覆う外キャップで、周壁７１の上下方向中間部内面に形成した突部７２を開口部５３へ上下動自在に嵌合(凹凸の係合手段)させると共に、周壁７１下部内面を覆筒２４の雄ネジへ螺合させ、さらに頂壁周縁から内キャップ５０周壁へ遊嵌可能な案内筒７３を垂下させている。
【００３３】
８０は公知のポンプ機構で、容器体内へ垂下するシリンダ８１内へ上方付勢状態で弁部材８２を上下動自在に嵌合させると共に、該弁部材から上記ステムを起立させ、さらにシリンダ下部に吸込弁８３を設けている。
【００３４】
なお、上記では、ノズル筒４２内へ注出弁４３を嵌合させているが、これを省略することも可能である。この場合には、ポンプ機構の作動で内容物がノズル筒４２から吐出することがないようにノズル筒４２の径を小さくするか、またはノズル筒内に十字状等の障害壁を設ける。
【００３５】
次に本実施形態の作用について説明する。
使用するには、内キャップが嵌合した外キャップを螺脱させて、連結筒３０の外向きフランジ３２を押下げればよく、その際ポンプ作動規制用突条３４下端は縦溝２５上端よりやや上方に位置するためポンプ作動規制用突条３４は縦溝２５を下降可能であり、したがってステム１０も下降可能であり、このためステムが下降することにより弁部材８２が押下げられるため、容器体内容物がステム１０を介してノズル筒付き計量筒４０内へ流入する。
【００３６】
使用後、外キャップ７０を装着筒２０へ螺合させると、内キャップのシール筒５１がノズル筒４２外面へ密に嵌合するため、何等の手段をも講じない場合には、ノズル筒付き計量筒４０が押下げられて、容器体内容物がノズル筒付き計量筒内へ流入して外部へ漏洩するおそれがあるが、本発明ではノズル筒付き計量筒４０の下降を防止する次述の手段を備えているため、このように不都合を防止することができる。
【００３７】
すなわち、外キャップ７０を装着筒２０へ螺合させると、歯車機構６０を介して連結筒３０が回動することでこれによりポンプ作動規制用突条３４も周方向へ移動してその下端が装着筒２０の凹部２６上面へ摺動自在に係合するため、ポンプ作動規制用突条３４の下降は不能となってノズル筒付き計量筒４０の下降が阻止される。
【００３８】
ポンプ作動規制用突条３４が所定距離だけ、本実施形態では四分の一円周角度(９０度)だけ周方向へ移動すると、ポンプ作動規制用突条３４は凹部２６側面へ当接するため、それ以上のポンプ作動規制用突条３４の移動は不能になるが、この状態でさらに外キャップ７０を回動させると弾性片６２が外方へ弾性変形して、外向きフランジ３２外周面に設けた歯６１から離脱して空転するため、ポンプ作動規制用突条３４が上記停止位置からずれることはない。
【００３９】
使用のため外キャップ７０を螺脱方向へ回動させると、弾性片６２と歯６１との噛合いによりポンプ作動規制用突条３４が前記と反対方向へ移動して凹部２６の側面へ当接することにより装着筒２０の縦溝２５上端へ位置するため、ポンプ作動規制用突条３４は縦溝２５内を下降可能であり、したがってノズル筒付き計量筒４０の下降が可能となって容器体内容物をノズル筒付き計量筒４０内へ流入させることが可能となる。
【００４０】
なお、歯車機構６０としては上記に限定されることなく、例えば、内キャップ５０のシール筒５１とノズル筒４２とを係合歯を介して噛合わせると共に、外向きフランジ３２周縁から係合歯付き弾性片を垂下して、外キャップ７０の内周面に付設した歯へ係合させ、ポンプ作動規制用突条３４が凹部２６側面へ当接した後に、外キャップ７０を回動させると弾性片６２が内方へ弾性変形して、外キャップ７０の歯から離脱して空転可能とさせることも可能である。
【００４１】
図９〜図１２は第２実施形態を示す。第１実施形態では外キャップ７０からの回動力は凹凸の係合手段(突部７２と開口部５３との嵌合)を介して内キャップ５０へ伝えられ、内キャップ５０の回動力は歯車機構６０を介して連結筒３０へ伝えられるのに対して、本実施形態では、外キャップ７０からの回動力は歯車機構９０を介して内キャップ５０へ伝えられ、内キャップ５０の回動力は凹凸の係合手段１００を介して連結筒３０へ伝えられる点で相違する。
【００４２】
以下これら相違点について説明する。
歯車機構９０は、前記内キャップ５０の周壁外周面に設けた歯９１と、外キャップ頂壁から垂下して内キャップ５０周壁外面へ嵌合する嵌合筒９２の開口部９３上端から垂下して内キャップ周壁外周面の歯９１へ係合する係合歯付き弾性片９４とからなる。
【００４３】
凹凸の係合手段１００は、連結筒３０の外向きフランジ３２外周面の軸対称位置に設けた一対の突条群(本実施形態では３本の突条から構成される)１０１と内キャップ５０の垂下筒５２内周面に縦設された多数の縦溝１０２との係合によって構成される。
【００４４】
外キャップ７０を螺合のために回動させると、その回動力は歯車機構９０を介して内キャップ５０へ伝えられ、内キャップ５０の回動力は凹凸の係合手段１００を介して連結筒３０へ伝えられる。ポンプ作動規制用突条３４が所定距離だけ、本実施形態では四分の一円周角度(９０度)だけ周方向へ移動すると、ポンプ作動規制用突条３４は凹部２６側面へ当接するため、それ以上のポンプ作動規制用突条の移動は不能になるが、この状態でさらに外キャップ７０を回動させると弾性片９４が外方へ弾性変形して、内キャップ５０の周壁外周面に設けた歯９１から離脱して空転する。
【００４５】
なお、図面ではノズル筒４２内に注出弁４３を備えていない例が示されているが、注出弁を設けることはもちろん可能である。その他の構成は第１実施形態と同一であるから説明を省略する。
【産業上の利用可能性】
【００４６】
本発明は、定量塗布容器の分野に利用することができる。
【符号の説明】
【００４７】
２０  装着筒
３４  ポンプ作動規制用突条ブ
２５  縦溝
２６  凹部
３０  連結筒
１０  ステム
３２  外向きフランジ
３３  外筒
４０  ノズル筒付き計量筒
４２  ノズル筒
４３  注出弁
５０  内キャップ
５１  シール筒
５２  垂下筒
６０  歯車機構
６１  歯
６２  弾性片
７０  外キャップ
８０  ポンプ機構
【図１】
2011157104.tif 000003
【図２】
2011157104.tif 000004
【図３】
2011157104.tif 000005
【図４】
2011157104.tif 000006
【図５】
2011157104.tif 000007
【図６】
2011157104.tif 000008
【図７】
2011157104.tif 000009
【図８】
2011157104.tif 000010
【図９】
2011157104.tif 000011
【図１０】
2011157104.tif 000012
【図１１】
2011157104.tif 000013
【図１２】
2011157104.tif 000014